(57)【特許請求の範囲】
【請求項１】
透過原稿又は反射原稿に記録された画像の画像情報を読み取るための第１の光を発光する第１の光源部と、原稿上又は光路上の欠陥部分を検出するための第２の光を発光する第２の光源部とを備えた光源装置であって、
前記第１の発光素子群と第２の発光素子群とが同一の基板に実装され、
前記第１の光源部の照射側に設けられて前記第１の光に含まれる前記第２の光と同等の波長を有する光をカットする遮断部分と、前記第２の光源部の照射側に設けられて少なくとも前記第２の光と同等の波長を有する光を透過する透過部分と、からなるフィルタを備えたことを特徴とする光源装置。
【請求項２】
前記第１の光源部は、赤（Ｒ）、緑（Ｇ）、青（Ｂ）の色の波長に基づいて異なる波長の光を発光する複数の発光素子からなる第１の発光素子群であり、前記第２の光源部は赤外線（ＩＲ）を発光する複数の発光素子からなる第２の発光素子群であることを特徴とする請求項１に記載の光源装置。
【請求項３】
前記フィルタは、前記第１の発光素子群の発光面近傍に設けられることを特徴とする請求項２に記載の光源装置。
【請求項４】
前記フィルタの遮断部分は、前記赤（Ｒ）、緑（Ｇ）、青（Ｂ）の色の波長の光を透過し、かつ赤外波長域の光を反射することを特徴とする請求項２又は請求項３に記載の光源装置。
【請求項５】
前記基板の前記第１の発光素子群が実装された部位の温度を検出するための温度検出手段と、
前記温度検出手段により検出された温度に基づいて前記基板の前記第１の発光素子群が実装された部位の温度を調整するための温度調整手段と、
を備えたことを特徴とする請求項１乃至請求項３の何れか１項に記載の光源装置。
【請求項６】
透過原稿又は反射原稿に記録された画像を読み取る画像読取装置であって、
前記請求項１乃至請求項５の何れか１項に記載の光源装置と、
前記光源装置から射出された光の反射光又は透過光を受光して前記原稿の画像の画像情報を読み取る画像読取手段と、
を備えたことを特徴とする画像読取装置。
【発明の詳細な説明】
【０００１】
【発明の属する技術分野】
本発明は、光源装置及び画像読取装置に係り、特に、光源として発光素子を用いた光源装置及び画像読取装置に関する。
【０００２】
【従来の技術】
写真プリント等の反射原稿や写真フィルム等の透過原稿に照明光を照射し、原稿に記録されている画像情報を担持した原稿からの反射光又は透過光をＣＣＤ（Charge Coupled Device）等の画像読取センサで受光することにより原稿に記録されている画像を読み取り、この読み取りによって得られた画像データに対して各種の補正等の処理を行った後に、印画紙等の記録材料への画像記録やディスプレイへの画像表示等を行う画像読取装置が実用化されている。このような画像読取装置では、原稿に記録された画像の読み取りから、記録材料への画像記録やディスプレイへの画像表示等を行うまでの作業の自動化が容易になるという利点を有している。
【０００３】
この種の画像読取装置では、原稿を照明する光源として、従来よりハロゲンランプ等の白色光源が用いられてきたが、近年、白色光源に代えて、赤（Ｒ）、緑（Ｇ）、青（Ｂ）各色に発色する多数のＬＥＤ（発光ダイオード）素子を基板上に配列して構成されたＬＥＤ光源を用いた装置も実用化されている。ＬＥＤ光源を適用することにより、白色光源を色分解するためのフィルタが不要となり、装置構成を簡単にできる。また各色バランス等の条件設定も簡略化することができる。
【０００４】
ところで、フィルム面に傷等が存在する場合、フィルム面へ照射される光がその傷によって散乱し、画像読取センサでは画像情報通りの正しい検出光量が得られないため光量変動等を生じ、結果として画像欠落部分が画像上に現れてしまう問題がある。
【０００５】
このようなフィルム面の傷、あるいは光源からフィルムまでの光路上に存在する塵埃等によって生じる画像への影響（以下、総称して「欠陥部」と呼ぶ）を軽減させるため、色波長（可視光領域の波長）の画像情報に応答しない非可視光、例えば赤外線（ＩＲ：ＩｎｆｒａＲｅｄ）で画像を読み取って欠陥部による光散乱部のみを検出し、検出した欠陥部による画像欠落部分を、欠陥部周辺の画像情報を基にデジタル的（電気的）に画像処理して補正する技術も提案されている。
【０００６】
【発明が解決しようとする課題】
しかしながら、非可視光による電気的画像補正は、光学的な傷消しに比べ精度よい補正を可能とするが、光源に発光素子を用いた場合には、主として可視光を照射する発光素子であっても照射する光の中に非可視光が含まれてしまう場合がある。発光素子として、例えば赤色の光を発光するＬＥＤ（発光ダイオード）を用いた場合の例を図８に示した。これによれば、ＬＥＤから可視光と非可視光とが発光されるが、それぞれの発光エネルギーに大きさな差がある（図８（Ａ）参照）。しかし、これらの光がフィルムを透過すると、可視光（赤色）の発光エネルギーが小さくなり、非可視光の発光エネルギー（副発光エネルギー）が目立ってしまう（図８（Ｂ）参照）。このため、欠陥部による光散乱部の検出精度が低下し、輝度が低下するなど読み取る画像の質が低下するという欠点がある。なお、これは高濃度の光の場合にはより副発光エネルギーが目立つこととなる。
【０００７】
また、発光素子の配置環境における環境温度の変化や発光素子自身の発熱による温度変化が起こった場合、発光素子から照射される光の発光スペクトルが変化するため、温度の変化の前後で読み取った画像データが変化してしまい、読み取った画像の色みや輝度が不安定になり画質が低下するという欠点がある。
【０００８】
本発明は上記事実を考慮して、精度良く原稿の傷消しを行うとともに、読み取った画像の画質を低下させない光源装置及び画像読取装置を提供することを課題とする。
【０００９】
【課題を解決するための手段】
請求項１に記載の光源装置は、透過原稿又は反射原稿に記録された画像の画像情報を読み取るための第１の光を発光する第１の光源部と、原稿上又は光路上の欠陥部分を検出するための第２の光を発光する第２の光源部とを備えた光源装置であって、前記第１の発光素子群と第２の発光素子群とが同一の基板に実装され、前記第１の光源部の照射側に設けられて前記第１の光に含まれる前記第２の光と同等の波長を有する光をカットする遮断部分と、前記第２の光源部の照射側に設けられて少なくとも前記第２の光と同等の波長を有する光を透過する透過部分と、からなるフィルタを備えたことを特徴としている。
【００１０】
請求項１に記載の光源装置は、原稿の画像を透過又は反射して画像情報を読み取るための光を発光する第１の光源部と、原稿の傷や光路上の塵埃を検出可能な光を発光する第２の光源部とを備えている。原稿の画像を透過又は反射して画像情報を読み取るための第１の光としては、画像を読み取るために予め定められた色波長に応じた可視光領域の光が用いられる。また、傷や塵埃等を検出する第２の光として非可視光領域の光が用いられる。第１の光源部として、例えば発光ダイオード（ＬＥＤ）を用いた場合には、画像を読み取るための光と共に、傷や塵埃を検出可能な第２の光源部から発光される光と同等の波長を有する光が発光される。この光の副発光エネルギーが大きいと、本発明の光源装置を用いた画像読取装置により画像の読み取りを行った場合に、読み取った画像の輝度が低下するなど画質の低下を招く。そこで、第１の光源部からの光に含まれる第２の光源からの光と同等の波長を有する光をカットすることで、副発光エネルギーに起因する画質の低下を防止する。
また、前記第１の発光素子群と第２の発光素子群とが同一の基板に実装され、前記フィルタは、前記第１の光源部の照射側に設けられて前記第１の光に含まれる前記第２の光と同等の波長を有する光をカットする遮断部分と、前記第２の光源部の照射側に設けられて少なくとも前記第２の光と同等の波長を有する光を透過する透過部分と、からなる。このように、第１の発光素子群と第２の発光素子群とが同一の基板に実装されるので基板数を増加させることがない。
【００１１】
請求項２に記載の光源装置は、請求項１に記載の光源装置において、前記第１の光源部は、赤（Ｒ）、緑（Ｇ）、青（Ｂ）の色の波長に基づいて異なる波長の光を発光する複数の発光素子からなる第１の発光素子群であり、前記第２の光源部は赤外線（ＩＲ）を発光する複数の発光素子からなる第２の発光素子群であることを特徴としている。
【００１２】
請求項２に記載の光源装置によれば、第１の光源部と第２の光源部とが複数の発光素子群から構成されているため、発熱量が比較的少なく、光源の発光効率を上昇させることができる。また、各発光素子を発光制御し、各色毎に切り替えて、又は第１の光源あるいは第２の光源を交互に切り替えて発光させることが可能となる。
【００１３】
請求項３に記載の光源装置は、請求項２に記載の光源装置において、前記フィルタは、前記第１の発光素子群の発光面近傍に設けられることを特徴としている。
【００１４】
請求項３に記載の光源装置によれば、フィルタが第１の発光素子群の発光面から離れて配置されると、第１の発光素子群からの光に含まれる塵埃等を検出可能な光と同等の波長を有する光の一部が、フィルタを透過しないおそれがあるため、この光源装置を用いた画像読取装置で画像の読み取りを行った場合、読み取った画像の輝度が低下する等の画像の品質低下を招きかねない。そこで、フィルタを第１の発光素子群の発光面近傍に設ける。これにより、第１の発光素子からの光のうち塵埃等を検出可能な光と同等の波長を有する光を効率良くカットし、画像読み取りが可能な光のみを画像に至らせることができ、読取画像の品質の低下を防止することができる。
請求項４に記載の光源装置は、請求項２又は請求項３に記載の光源装置において、前記フィルタは、前記赤（Ｒ）、緑（Ｇ）、青（Ｂ）の色の波長の光を透過し、かつ赤外波長域の光を反射することを特徴としている。
請求項４に記載の光源装置によれば、フィルタが可視光の波長域の光である、赤（Ｒ）、緑（Ｇ）、青（Ｂ）の色の波長の光を透過し、非可視光の波長域である赤外波長域の光を反射するので、可視光域の光を効率よく利用することができ、さらに原稿上又は光路上の欠陥部分を検出するための光として、赤外波長域の光を効率よく利用することができる。
【００２１】
請求項５に記載の光源装置は、請求項１乃至請求項４の何れか１項に記載の光源装置において、前記基板の前記第１の発光素子群が実装された部位の温度を検出するための温度検出手段と、前記温度検出手段により検出された温度に基づいて前記基板の前記第１の発光素子群が実装された部位の温度を調整するための温度調整手段と、を備えたことを特徴としている。
【００２２】
請求項５に記載の光源装置では、発光素子の温度に変化があると、この光源装置を用いた画像読取装置により読み取った画像の質が低下することから、発光素子の温度が所定の温度に維持されていることが望ましい。そこで、温度検出手段により、第１の発光素子群が実装された部位の温度を検出する。温度の検出を定期的に行うことで、第１の発光素子群が実装された部位の温度変化を検出することができる。そして、検出された温度に基づいて、例えば、検出された温度が所定の温度となっていない場合には、温度調整手段により、放熱又は過熱して前記第１の発光素子が実装された部位の温度を所定の温度に維持されるように調整する。これにより、第１の発光素子の温度が一定に維持され、第１の発光素子の温度変化に起因する読取画像の画質の低下を防止することができる。また、第１の発光素子群と第２の発光素子群とが別個の基板に設けられている場合には、第１の発光素子群が実装された基板にのみ温度調整手段を設けることで、コストの低減を図ることができる。なお、温度調整手段としては、電熱器、ファン、ペルチェ素子等を用いることができる。
【００２３】
請求項６に記載の画像読取装置は、透過原稿又は反射原稿に記録された画像を読み取る画像読取装置であって、前記請求項１乃至請求項５の何れか１項に記載の光源装置と、前記光源装置から射出された光の反射光又は透過光を受光して前記原稿の画像の画像情報を読み取る画像読取手段と、を備えたことを特徴としている。
【００２４】
請求項６に記載の画像読取装置によれば、画像読取手段によって請求項１乃至請求項５の何れか１項に記載の光源装置から射出された光の原稿からの反射光又は透過光が受光されて原稿の画像が読み取られる。本画像読取装置では、光源装置として上記した画像読取のための光に含まれる塵埃等の検出のための光をカットすることができる光源装置を用いたので、第１の光源（第１の発光素子群）からの光に第２の光源（第２の発光素子群）からの光と同等の波長を有する光が含まれることに起因する読取画像の画質低下を防止することができ、高品質な画像読取を行うことができる。なお、画像読取手段には、例えば、ラインＣＣＤセンサ、エリアＣＣＤセンサ等のＣＣＤの他、あらゆる光電変換素子が含まれる。
【００２５】
本発明では、原稿の画像情報を読み取るための可視光領域の光を照射する可視光光源、及び、原稿の傷や光路上の塵埃を検出するための非可視光領域の光を照射する非可視光光源を有し、それら両光源の光路上に原稿面への照射光量を略均一にする拡散部材を配置する。また、画像処理部では、非可視光光源光での画像読み取りで得た原稿の傷や光路上の塵埃による画像欠陥部検出情報に基づき、可視光光源光によって読み取った画像情報を補正する。
【００３４】
【発明の実施の形態】
以下、図面を参照して本発明の実施の形態を説明する。
【００３５】
［第１の実施形態］
図１及び図２には、本発明の第１の実施形態に係るディジタルラボシステム１０の概略構成が示されている。
【００３６】
ディジタルラボシステム１０は、図１に示すように、ＣＣＤスキャナ１４、画像処理部１６、レーザプリンタ部１８、及びプロセッサ部２０を含んで構成されている。ここで、ＣＣＤスキャナ１４と画像処理部１６とは、図２に示す入力部２６として一体化されており、レーザプリンタ部１８とプロセッサ部２０とは、図２に示す出力部２８として一体化されている。
【００３７】
このＣＣＤスキャナ１４は、ネガフィルムやリバーサルフィルム等の写真フィルムに記録されているコマ画像を読み取るためのものであり、例えば１３５サイズの写真フィルム、１１０サイズの写真フィルム、さらには透明な磁気層が形成された写真フィルム（２４０サイズの写真フィルム：いわゆる「ＡＰＳフィルム」）、１２０サイズ及び２２０サイズ（ブローニサイズ）の写真フィルムのコマ画像を読取対象とすることができる。ＣＣＤスキャナ１４は、上記の読取対象のコマ画像をＣＣＤセンサ３０で読み取り、Ａ／Ｄ変換器３２においてＡ／Ｄ変換した後、画像データを画像処理部１６へ出力する。
【００３８】
画像処理部１６は、ＣＣＤスキャナ１４から出力された画像データ（スキャン画像データ）が入力されると共に、デジタルカメラ３４等での撮影によって得られた画像データ、原稿（例えば反射原稿等）をスキャナ３６（フラッドベッド型）で読み取ることで得られた画像データ、他のコンピュータで生成され、フロッピディスクドライブ３８、ＭＯドライブ又はＣＤドライブ４０に記憶された画像データ、及びモデム４２を介して受信する通信画像データ等を外部から入力することも可能なように構成されている。
【００３９】
画像処理部１６は、入力された画像データを画像メモリ４４に記憶し、色階調処理部４６、ハイパートーン処理部４８、ハイパーシャープネス処理部５０等の各種の補正、さらに設定によっては、後述する赤外線で読み取った画像データによるフィルムの傷消し補正等の画像処理を行って、記録用画像データとしてレーザプリンタ部１８へ出力する。また、画像処理部１６は、画像処理を行った画像データを画像ファイルとして外部へ出力する（例えばＦＤ、ＭＯ、ＣＤ等の記録媒体に出力したり、通信回線を介して他の情報処理機器へ送信する等）ことも可能とされている。
【００４０】
レーザプリンタ部１８はＲ、Ｇ、Ｂのレーザ光源５２を備えており、レーザドライバ５４を制御して、画像処理部１６から入力された記録用画像データ（一旦、画像メモリ５６に記憶される）に応じて変調したレーザ光を印画紙に照射して、走査露光（本実施の形態では、主としてポリゴンミラー５８、ｆθレンズ６０を用いた光学系）によって印画紙６２に画像を記録する。また、プロセッサ部２０は、レーザプリンタ部１８で走査露光によって画像が記録された印画紙６２に対し、発色現像、漂白定着、水洗、乾燥、の各処理を施す。これにより、印画紙６２上に画像が形成される。
【００４１】
（ＣＣＤスキャナの構成）
次にＣＣＤスキャナ１４の構成について説明する。なお、本実施の形態では、１３５サイズの写真フィルム２２を適用した場合のディジタルラボシステム１０として説明する。
【００４２】
図３には、ＣＣＤスキャナ１４の光学系の概略構成が示されている。この光学系には、写真フィルム２２に可視光を照射する光源として、赤色（Ｒ）、緑色（Ｇ）、青色（Ｂ）のそれぞれの色で発光する複数のＬＥＤチップ６４Ｒ、６４Ｇ、６４Ｂと、欠陥部検出用の非可視光を照射する光源として、赤外線を照射するＬＥＤチップ６４ＩＲとからなるＬＥＤチップ群６４Ａが実装された基板６５が備えられている。
【００４３】
このＬＥＤチップ群６４Ａは、搬送される写真フィルム２２の搬送方向（長手方向）及び幅方向に沿って、ＬＥＤチップ６４Ｂ、６４Ｒ、６４Ｇ、６４ＩＲが平面状（ＬＥＤチップ単位でＢ、Ｒ、Ｇ、ＩＲ順）に高密度に配列されて構成されている。このＬＥＤチップは、各色単位で切り替えて発光させるよう発光制御されており、これにより、ＬＥＤチップ群６４Ａからは、各色の間での光量むらが極めて少ないＲ、Ｇ、Ｂの各光が照射されるようになる。
【００４４】
なお、このＬＥＤチップ６４Ｒ、６４Ｇ、６４Ｂの配列方法は、上記以外にも、各色毎に、写真フィルム２２の搬送方向、あるいは幅方向に沿って直線状に形成した列単位で、順にＲ、Ｇ、Ｂを繰り返して配列するなど、他の形態を適用することもできる。
【００４５】
このＬＥＤチップ群６４Ａは、照射方向が写真フィルム２２の照射面に対向するように写真フィルム２２搬送路の図中下方に配置されており、発光面の近傍には、ＬＥＤチップ６４Ｒ、６４Ｇ、６４Ｂから発光される非可視光である赤外線をカットすると共に、ＬＥＤチップ６４ＩＲから発光される赤外線を透過するフィルタ７２が配置されている。
【００４６】
ここで、図４に示すように、フィルタ７２は、基板６５と略同じ大きさ且つ導形状の板状体で構成され、ＬＥＤチップ群６４Ａの発光面に設けられる（図４（Ａ）〜（Ｃ）参照）。フィルタ７２のＬＥＤ６４Ｒ、６４Ｇ、６４Ｂと対峙する部位は、これらのＬＥＤチップ６４Ｒ、６４Ｇ、６４Ｂから照射される赤外線を遮断（カット）するＩＲカットフィルタ７２Ａで形成されている（図４（Ｃ）参照）。また、フィルタ７２のＬＥＤ６４ＩＲと対峙する部位は、ＬＥＤチップ６４ＩＲから照射される赤外線を透過するＩＲ透過フィルタ７２Ｂで構成されている（図４（Ｃ）参照）。
【００４７】
フィルタ７２の上方には、ＬＥＤチップ群６４Ａから照射される光の光路上に、ミラーボックス７５が配置されている。ミラーボックス７５では、フィルタ７２を透過して出射される光の発散が押さえられる。
【００４８】
ＬＥＤチップ群６４Ａからの光は、このミラーボックス７５内を通って、写真フィルム２２方向へ案内される。これにより、ＬＥＤチップ６４Ｒ、６４Ｇ、６４ＢがＲＧＢの各色に発光すると、これらのＲＧＢの光は、フィルタ７２のＩＲカットフィルタ７２Ａを透過すると共に、ミラーボックス７５を透過し、写真フィルム２２へ照射される。
【００４９】
また、ＬＥＤチップ６４ＩＲからの照射光はフィルタ７２のＩＲ透過フィルタ７２Ｂを透過し、前記ＲＧＢの照明光と同一の光路をたどり、ミラーボックス７５内を通って写真フィルム２２へ至る。
【００５０】
一方、フィルムキャリア７４によって位置決め搬送される写真フィルム２２を挟んだ光源部の反対側には、ＬＥＤチップ群６４Ａの光軸に沿って、コマ画像を透過した光を結像させる球面（又は非球面）のレンズユニット７７、ＣＣＤセンサ３０が順に配置されている。
【００５１】
図には１つのレンズのみ示されているが、このレンズユニット７７は、複数枚のレンズから構成されたズームレンズであって、写真フィルム２２を透過した光を所定の位置に結像させる役目を有しており、この所定の位置にＣＣＤセンサ３０が配置されている。
【００５２】
ＣＣＤセンサ３０は、光を検出する複数の画素が、写真フィルム２２の幅、及び搬送方向に沿ってマトリックス状（二次元）に配列されたエリア型センサとされており、各画素で受光する光に応じて電荷として蓄積する機能を有している。
【００５３】
これにより、写真フィルム２２のコマ画像を透過したＲ、Ｇ、Ｂ各色の透過光、あるいは赤外線は、レンズユニット７７によってＣＣＤセンサ３０のほぼ全画素範囲にコマ画像毎に結像され、電気的に読み取られる。
【００５４】
このように、ＣＣＤスキャナ１４では、ＩＲカットフィルタ７２ＡによりＬＥＤチップ６４Ｒ、６４Ｇ、６４Ｂから照射される赤外線が遮断され、ＬＥＤチップ６４Ｒ、６４Ｇ、６４Ｂからの赤外線は写真フィルム２２へは至らない。その一方、ＬＥＤチップ６４ＩＲからの赤外線はＩＲ透過フィルタ７２Ｂを透過して写真フィルム２２へ至る。このため、照明光による画像読み取りではフィルム面での光量ムラが押さえられ、また、赤外線は照射されないので、読取画像の質が低下することはない。一方、欠陥部の検出の際には、赤外線がフィルタ７２により遮断されることはなく、傷等による光の散乱部分が正確に検出できる。
【００５５】
以下に、本実施の形態の作用を説明する。
【００５６】
オペレータがネガキャリア７４（フィルムキャリア）に写真フィルム２２を挿入し、画像処理部１６のキーボード１６Ｋにより、コマ画像読取開始を指示すると、ネガキャリア７４では、写真フィルム２２の搬送を開始する。この搬送により、コマ画像を予備的に読み取るいわゆるプレスキャンが実行される。すなわち、写真フィルム２２を比較的高速で搬送しながら、ＣＣＤスキャナ１４によって、画像コマのみならず、写真フィルム２２の画像記録領域外の各種データを含めて読み取っていく。なお、読み取った画像はモニタ１６Ｍに表示される。
【００５７】
次に、各コマ画像のプレスキャンの結果に基づいて、再度画像の読み取り、すなわち、いわゆるファインスキャン時の読取条件が各コマ画像毎に設定されていく。そして、全コマ画像に対するファインスキャン時の読取条件設定が終了すると、写真フィルム２２をプレスキャンとは逆方向に搬送し、各コマ画像のファインスキャンを実行する。
【００５８】
このとき、写真フィルム２２は、プレスキャン時とは逆方向に搬送されているため、最終コマから１コマ目まで順にファインスキャンが実行されていく。また、ファインスキャンは、プレスキャンに比べて搬送速度が遅く設定されており、その分、読取解像度が高くなる。
【００５９】
さらに、プレスキャン時に、画像の状態（例えば、撮像画像アスペクト比、アンダー、ノーマル、オーバー、スーパーオーバー等の撮影状態やストロボ撮影の有無等）を認識しているため、適正な読取条件で読み取ることができる。
【００６０】
さらに、このファインスキャン時には、傷消し動作が行われる。
【００６１】
すなわち、Ｒ、Ｇ、Ｂ各色の照射光は、ミラーボックス７５を通って光量の発散が押さえられて写真フィルム２２へ照射され、フィルムを透過した後に、レンズユニット７７によってＣＣＤセンサ３０に結像されてコマ画像毎に読み取られる。その後に、ＬＥＤチップ６４ＩＲが発光し、赤外線が照射されてフィルム面に付いた傷や光路上の塵埃等がＣＣＤセンサ３０で読み取られ、Ｒ、Ｇ、Ｂの各色光で読み取った画像に対して画像処理部１６で画像補正が行われる。
【００６２】
以上説明したように、本実施の形態では、ＬＥＤチップ群６４Ａは、Ｒ、Ｇ、Ｂの各色に発光する複数のＬＥＤチップ６４Ｒ、６４Ｇ、６４Ｂと赤外線を発光するＬＥＤチップ６４ＩＲが集合して配列し、フィルタ７２に近接して配置されている。また、ＬＥＤチップ群６４Ａは各色単位で切り替えて発光させるよう発光制御されているため、画像の読取時にはＬＥＤチップ６４Ｒ、６４Ｇ、６４Ｂを発光させることができる。この際、フィルタ７２のＬＥＤチップ６４Ｒ、６４Ｇ、６４Ｂと対峙する部位は、赤外線を遮断するＩＲカットフィルタ７２Ａから構成されているため、ＬＥＤチップ６４Ｒ、６４Ｇ、６４Ｂから発散して照射される照明光のうち、赤外線（非可視光）はこのＩＲカットフィルタ７２Ａにより遮断され、ミラーボックス７５へは入射せず、写真フィルム２２に照射されることはない。よって、Ｒ、Ｇ、Ｂの照射光のみを有効に利用することができ、読取った画像の輝度低下等、画像の質が低下することはない。
【００６３】
一方、欠陥検出時には、ＬＥＤチップ６４ＩＲを発光させることができる。この際、フィルタ７２のＬＥＤチップ６４ＩＲと対峙する部位はＩＲを透過するＩＲ透過フィルタ７２Ｂにより構成されているため、ＬＥＤチップ６４ＩＲから照射される赤外線は、ＩＲ透過フィルタ７２Ｂを透過し、ミラーボックス７５を介して写真フィルム２２に照射される。よって、フィルム面の欠陥部を精度良く検出することができる。
【００６４】
本形態のようなエリア型のＣＣＤセンサ３０を用いたＣＣＤスキャナに限らず、ライン型のＣＣＤセンサを用いてフィルムを搬送しながら画像を読み取るラインＣＣＤスキャナに適用することも可能である。
【００６５】
なお、図５に示すように、フィルタ７２として、ＬＥＤチップ６４ＩＲの配置列に基づいてＩＲ透過フィルタ７２Ｂとしたものを用いても良い。具体的には、基板６５には、赤色（Ｒ）、緑色（Ｇ）、青色（Ｂ）のそれぞれの色で発光する複数のＬＥＤチップ６４Ｒ、６４Ｇ、６４Ｂと、赤外線（ＩＲ）を発光するＬＥＤチップ６４ＩＲがそれぞれ列状に配列されたＬＥＤチップ群６４Ａが実装されている（図５（Ｂ）参照）。そして、ＬＥＤチップ群６４Ａの発光面にはフィルタ７２が設けられ、このフィルタ７２は、基板６５と略同じ大きさ且つ導形状の板状体で構成される（図５（Ａ）〜（Ｃ）参照）。フィルタ７２のＬＥＤチップ６４Ｒ、６４Ｇ、６４Ｂの列と対峙する部分は、これらのＬＥＤチップ６４Ｒ、６４Ｇ、６４Ｂから照射される赤外線を遮断（カット）するＩＲカットフィルタ７２Ａで形成されており、また、フィルタ７２のＬＥＤ６４ＩＲの列と対峙する部分には、ＬＥＤチップ６４ＩＲから照射される赤外線を透過するＩＲ透過フィルタ７２Ｂで構成されている（図５（Ｃ）参照）。
【００６６】
［第２の実施形態］
次に、本発明の第２の実施形態について説明する。この第２の実施形態では、上記第１の実施形態で説明した構成とほぼ同一であるため、同一構成部品については同一符合を付し、その構成の説明を省略する。
【００６７】
図６には、ＣＣＤスキャナ１４の光源部の概略構成を示す側面図が示されている。なお、図６では簡略化のためミラーボックスを省略してある。光源部は、基板６５Ａに実装されたＲ、Ｇ、Ｂのそれぞれの色で発光する複数のＬＥＤチップ６４Ｒ、６４Ｇ、６４ＢからなるＬＥＤチップ群６４１と、基板６５Ｂに実装された赤外線を発光する複数のＬＥＤチップ６４ＩＲからなるＬＥＤチップ群６４２とを有している。
【００６８】
ＬＥＤチップ群６４１は、搬送される写真フィルム（図示せず）の搬送方向（長手方向）及び幅方向に沿って、ＬＥＤチップ６４Ｒ、６４Ｇ、６４Ｂが平面状（ＬＥＤチップ単位でＢ、Ｒ、Ｇ順）に高密度に配列されて構成されている。このＬＥＤチップ６４Ｒ、６４Ｇ、６４Ｂは、各色単位で切り替えて発光させるよう発光制御されており、これにより、ＬＥＤチップ群６４１からは、各色の間での光量むらが極めて少ないＲ、Ｇ、Ｂの各光が照射されるようになる。
【００６９】
なお、このＬＥＤチップ６４Ｒ、６４Ｇ、６４Ｂの配列方法は、上記以外にも、各色毎に、写真フィルム２２の搬送方向、あるいは幅方向に沿って直線状に形成した列単位で、順にＲ、Ｇ、Ｂを繰り返して配列するなど、他の形態を適用することもできる。
【００７０】
このＬＥＤチップ群６４１は、照射方向が写真フィルム２２の照射面に対向するように写真フィルム搬送路の図中下方に配置されており、ＬＥＤチップ群６４１から写真フィルムまでの光路に、ＬＥＤチップ群６４１からの照射光の光路（図６中、矢印Ｙ）に対して約４５度の角度に傾斜してフィルタ７２が設けられている。
【００７１】
ここで、フィルタ７２はＩＲカットフィルタであって矩形状の板材であり、Ｒ、Ｇ、Ｂの各色の光を透過すると共に、赤外線を反射する性質を有している。
【００７２】
従って、ＬＥＤチップ群６４１からの照射光は、フィルタ７２を透過して、図示しないミラーボックスを介して写真フィルムへ至る（図６中の矢印Ｙ参照）。
【００７３】
また、ＬＥＤチップ群６４１の図中右上方には赤外線を発光するＬＥＤチップ６４ＩＲからなるＬＥＤチップ群６４２が配置されている。ＬＥＤチップ群６４２は、搬送される写真フィルム（図示せず）の搬送方向（長手方向）及び幅方向に対して直行する方向に、ＬＥＤチップ６４ＩＲが列状に高密度に配列されて構成されている。
【００７４】
このＬＥＤチップ群６４２の照射光は、照射方向に約４５度傾斜して位置されたフィルタ７２で反射され、このフィルタ７２を透過したＬＥＤチップ群６４１からの光軸と一致し、図示しないミラーボックスを介して写真フィルム方向へ案内されるようになっている（図６中の矢印Ｘ参照）。
【００７５】
これにより、ＬＥＤチップ群６４１がＲＧＢの各色に発光すると、これらの各光はフィルタ７２を透過し、ミラーボックス７５を介して写真フィルム２２へ照射される。また、ＬＥＤチップ群６４２からの赤外線光は、フィルタ７２で反射された後、照明光と同一の光路をたどり、ミラーボックス７５内を通って写真フィルム２２へ至る。
【００７６】
また、基板６５ＡのＬＥＤチップ群６４１の実装面と反対側の面には、ペルチェ素子等の温度調整手段８０が設けられている。この温度調整手段は、サーミスタ等の温度検出手段により定期的に検出された温度に基づいて、ＬＥＤチップ群６４１の実装部位の温度を所定の温度に維持するようになっている。
【００７７】
このように、第２の実施の形態にかかるＣＣＤスキャナ１４では、ＬＥＤチップ群６４１からＲ、Ｇ、Ｂの各色の光が照射された場合には、これらの光はフィルタ７２を透過し、Ｒ、Ｇ、Ｂに含まれる赤外線と同等の波長を有する光がフィルタ７２により反射される。このため、赤外線と同等の波長の光は写真フィルムに至らず、Ｒ、Ｇ、Ｂの各色の光のみが写真フィルムに至る。従って、画像の読取に際してＬＥＤチップ群６４１からの副発光エネルギーに起因する画質の低下を招くことはない。一方、ＬＥＤチップ群６４２からの赤外線はフィルタ７２により反射され、ＬＥＤチップ群６４１からの各色の光と光路を同一にして写真フィルムに至る。これにより、傷等による光の散乱部分が正確に検出できる。
【００７８】
また、図７に示すように、本発明をいわゆる積分球９０に適用することもできる。積分球９０の内面には、Ｒ、Ｇ、Ｂの各色を発光するＬＥＤチップ６４Ｒ、６４Ｇ、６４Ｂと、赤外線を発光する６４ＩＲとが実装されている。これらのＬＥＤチップ６４Ｒ、６４Ｇ、６４Ｂ、６４ＩＲは、それぞれ切り替えて発光制御されるようになっている。また、ＬＥＤチップ６４Ｒ、６４Ｇ、６４Ｂの発光面には赤外線をカットすると共に、Ｒ、Ｇ、Ｂの各色を透過するＩＲカットフィルタ７２がそれぞれ設けられている。
【００７９】
ＬＥＤチップ６４Ｒ、６４Ｇ、６４Ｂは発光された場合には、ＬＥＤチップ６４Ｒ、６４Ｇ、６４Ｂからの各色の光は、ＩＲカットフィルタ７２を透過し、積分球９０の内面を反射して積分球９０の射光口９２から射光される。このとき、ＬＥＤチップ６４Ｒ、６４Ｇ、６４Ｂから各色の光と共に発光する赤外線はＩＲカットフィルタによりカットされ、射光口９２から射出されることはない。従って、ＬＥＤチップ６４Ｒ、６４Ｇ、６４Ｂの発光時には、射光口９２から赤外線が射光されることはなく、画像読取を行う場合にＬＥＤチップ６４Ｒ、６４Ｇ、６４Ｂの副発光エネルギーに起因して画質が低下することはない。
【００８０】
一方、ＬＥＤチップ６４ＩＲからの赤外線は、積分球９０の内面を反射して、射光口９２から遮光される。従って、画像の傷、塵埃等の検出を正確に行うことができる。
【００８１】
なお、上記した本発明は、写真フィルムのように透過原稿を対象として説明したが、反射原稿の画像読取に適用することも可能である。
【００８２】
また、原稿の傷等を読み取るための非可視光は赤外線に限らず、紫外線を利用した光学系に適用することも可能である。
【００８３】
上記実施の形態では、赤外波長域の光（赤外線）を照射するＬＥＤを用いると共に、赤外線を発光するＬＥＤを用いた場合を説明したが、本発明はこれに限定されるものではない。すなわち、可視光の波長域に主要なエネルギーを有するＬＥＤのみからなる光源に適用が可能である。例えば、光源として赤外線のみを照射するＬＥＤを用いることなく他のＬＥＤで光源を構成し、その他の光源として、赤色（Ｒ）、緑色（Ｇ）、青色（Ｂ）などの可視光の波長域の光を発光することが可能なＬＥＤなどを用いた場合に適用することができる。
【００８４】
図９には、写真フィルム２２に可視光を照射することが可能な光源を示した。この光源は、赤色（Ｒ）、緑色（Ｇ）、青色（Ｂ）のそれぞれの色で発光する複数のＬＥＤチップ６４Ｒ、６４Ｇ、６４Ｂと、とからなるＬＥＤチップ群が実装された基板６５を備えている。このＬＥＤチップ群は、照射方向が写真フィルム２２の照射面に対向するように写真フィルム２２搬送路の図中下方に配置することが可能であり、発光面の近傍には、ＬＥＤチップ６４Ｒ、６４Ｇ、６４Ｂから発光される非可視光である赤外線をカットするフィルタ７２が配置されている。
【００８５】
フィルタ７２は、基板６５と略同じ大きさ且つ導形状の板状体で構成され、ＬＥＤチップ群の発光面に設けられる（図９（Ａ）〜（Ｃ）参照）。フィルタ７２のＬＥＤ６４Ｒ、６４Ｇ、６４Ｂと対峙する部位は、これらのＬＥＤチップ６４Ｒ、６４Ｇ、６４Ｂから照射される赤外線を遮断（カット）するＩＲカットフィルタ７２Ａで形成されている（図９（Ｃ）参照）。すなわち、フィルタ７２は、各ＬＥＤから照射される赤外線を一様に遮断（カット）するように構成されている（図９（Ｃ）参照）。
【００８６】
従って、ＬＥＤチップ６４Ｒ、６４Ｇ、６４Ｂからの各光は、非可視光である赤外線を含んでいるが、この赤外線はＩＲカットフィルタ７２で遮断（カット）される。すなわち、ＬＥＤチップ６４Ｒ、６４Ｇ、６４Ｂから各色の光と共に発光する赤外線はＩＲカットフィルタによりカットされて射出されることはない。従って、ＬＥＤチップ６４Ｒ、６４Ｇ、６４Ｂの発光時には、赤外線が射出されることはなく、画像読取を行う場合にＬＥＤチップ６４Ｒ、６４Ｇ、６４Ｂの副発光エネルギーに起因して画質が低下することはない。
【００８７】
【発明の効果】
以上述べたごとく、本発明によれば、精度良く原稿の傷消しを行うとともに、読み取った画像の画質を低下させない、という優れた効果を発揮する。
【図面の簡単な説明】
【図１】本発明の第１の実施形態に係るディジタルラボシステムの概略構成図である。
【図２】ディジタルラボシステムの外観図である。
【図３】本発明の第１の実施形態に係るＣＣＤスキャナの光学系の概略構成を示す斜視図である。
【図４】図４（Ａ）は、光源とフィルタの概略を示す側面図であり、図４（Ｂ）は、ＬＥＤチップ群が実装された基板の概略を示す平面図であり、図４（Ｃ）は、フィルタの概略を示す平面図である。
【図５】本発明の第２の実施の形態に係る光源とフィルタの概略を示す説明図であり、図５（Ａ）は、光源とフィルタの概略を示す側面図であり、図５（Ｂ）は、ＬＥＤチップ群が実装された基板の概略を示す平面図であり、図５（Ｃ）は、フィルタの概略を示す平面図である。
【図６】本発明の第２の実施形態に係るＣＣＤスキャナの光学系の概略構成を示す側面図である。
【図７】本発明のその他の実施形態に係るＬＥＤチップ群とフィルタとの配置関係の概略を示す平面図である。
【図８】光源としてＬＥＤを用いた場合の発光エネルギーと副発光エネルギーとの比較を示すグラフである。
【図９】（Ａ）は、光源とフィルタの概略を示す側面図であり、（Ｂ）は、ＬＥＤチップ群が実装された基板の概略を示す平面図であり、（Ｃ）は、フィルタの概略を示す平面図である。
【符号の説明】
１０ ディジタルラボシステム
６４Ｒ、６４Ｇ、６４Ｂ、６４ＩＲ ＬＥＤチップ
６４Ａ ＬＥＤチップ群
６５ 基板
６５Ａ 基板
６５Ｂ 基板
７２ フィルタ
７２Ａ ＩＲカットフィルタ
７２Ｂ ＩＲ透過フィルタ
８０ 温度調整手段
９０ 積分球
９２ 射光口
６４１ ＬＥＤチップ群
６４２ ＬＥＤチップ群
【図１】
0003918152.tif 000002
【図２】
0003918152.tif 000003
【図３】
0003918152.tif 000004
【図４】
0003918152.tif 000005
【図５】
0003918152.tif 000006
【図６】
0003918152.tif 000007
【図７】
0003918152.tif 000008
【図８】
0003918152.tif 000009
【図９】
0003918152.tif 000010